(57)【要約】【課題】水圧の影響を殺して軽やかに切替操作でき且つ切替機構の構成も簡単な吐水切替機構を含む吐水装置を提供する。【解決手段】吐水装置５８を、原水通路５４Ｂと、浄水通路５６Ｂと、原水吐水口５９と、浄水吐水口６０と、原水吐水と浄水吐水とを切り替える吐水切替機構６２とを含んで構成する。その吐水切替機構６２は、原水弁部６４と、浄水弁部６６と、プッシュボタン６８と、プッシュ操作により軸方向に移動して原水弁部６４を前進位置で閉、浄水弁部６６を開とし、また後退位置で浄水弁部６６を閉、原水弁部６４を開とする駆動軸７０と、駆動軸７０を前進位置と後退位置とに交互に保持するスラストロック機構７２を備えて構成する。また原水弁部６４は、パイロット式の弁部となしておく。【選択図】        図５
2004250893.tif 000002
【特許請求の範囲】
【請求項１】
水道水から成る原水を流通させる原水通路と、該原水を浄化フィルタに通して浄化した後の浄水を流通させる浄水通路と、該原水を吐水する原水吐水口と、該浄水を吐水する浄水吐水口と、該原水吐水口からの原水吐水と該浄水吐水口からの浄水吐水とを切り替える吐水切替機構とを有し、該吐水切替機構は、
（イ）前記原水通路を開閉する原水弁部と、
（ロ）前記浄水通路を開閉する浄水弁部と、
（ハ）操作部としてのプッシュボタンと、
（ニ）該プッシュボタンのプッシュ操作により軸方向に移動して前記原水弁部及び浄水弁部の何れか一方を前進位置で閉、他方を開とするとともに、後退位置で他方を閉、一方を開とする、それら原水弁部及び浄水弁部の駆動用の駆動軸と、（ホ）該駆動軸を前進位置と後退位置との何れかの位置に保持し、且つ前記プッシュボタンの１回のプッシュ操作ごとにその保持を前進位置保持から後退位置保持に又は後退位置保持から前進位置保持に切り替えるロック機構と、
を備えており、且つ前記原水弁部及び浄水弁部は少なくとも何れか一方がパイロット式の弁部とされていて、主弁と該主弁を開閉制御するパイロット水路及び該パイロット水路を開閉するパイロット弁を有しており、該パイロット弁が前記駆動軸の軸方向の前進又は後退につれて前進又は後退移動し、該パイロット水路を開閉するようになしてあることを特徴とする吐水装置。
【請求項２】
請求項１において、前記ロック機構が、前記駆動軸の軸心の回りに回転可能に且つ該駆動軸とともに軸方向に移動する状態に配された回転子と、前記プッシュボタンの１回のプッシュ操作の度に該回転子を所定角度ずつ回転させて、該回転子の位置を前進位置から後退位置に又はその逆に変化させ且つ変化後の位置に位置保持するカム機構とを備えたスラストロック機構であることを特徴とする吐水装置。
【請求項３】
請求項１，２の何れかにおいて、前記主弁がダイヤフラム弁であることを特徴とする吐水装置。
【請求項４】
請求項１〜３の何れかにおいて、前記原水弁部が前記パイロット式の弁部とされていることを特徴とする吐水装置。
【請求項５】
請求項１〜４の何れかにおいて、前記浄水弁部が非パイロット式の弁部とされていることを特徴とする吐水装置。
【請求項６】
請求項５において、前記浄水弁部における浄水弁の弁座への着座部が、径方向外方に鍔状に延出した外向きのフランジ部を有しており、該フランジ部の外周端縁を該弁座に水密に接触させシールするようになしてあることを特徴とする吐水装置。
【請求項７】
請求項１〜６の何れかにおいて、前記駆動軸が、前記浄水弁部用の第１駆動軸と前記原水弁部用の第２駆動軸とに軸方向の前，後に分けて且つ同軸上に構成・配置してあるとともに、それら第１駆動軸と第２駆動軸との間に操作力を伝達するばねが介在させてあり、それら第１駆動軸及び第２駆動軸の軸方向の移動により、第１駆動軸及び第２駆動軸に対応して前，後位置に配置してある前記浄水弁部と原水弁部とが開閉駆動されるようになしてあることを特徴とする吐水装置。
【請求項８】
請求項１〜７の何れかにおいて、前記吐水装置が、水栓における吐水ヘッドに設けてあり、前記プッシュボタンが該吐水ヘッドの軸方向の先端面且つ該吐水ヘッドの軸方向に押込可能に設けてあることを特徴とする吐水装置。
【請求項９】
請求項１〜８の何れかにおいて、前記原水吐水口が原水をシャワー吐水する原水シャワー吐水口であり、前記浄水吐水口が浄水をストレート吐水する浄水ストレート吐水口であり、前記吐水切替機構が原水及び浄水のそれぞれをストレート吐水とシャワー吐水とに切り替える切替機能を有していないことを特徴とする吐水装置。
【発明の詳細な説明】
【０００１】
【発明の属する技術分野】
この発明は吐水装置に関し、詳しくは水道水から成る原水を吐水する原水吐水口と、浄水を吐水する浄水吐水口と、原水吐水口からの原水吐水と浄水吐水口からの浄水吐水とを切り替える吐水切替機構とを備えた吐水装置に関する。
【０００２】
【発明の背景】
水道水中には微細な砂，赤錆等濁りの元となる成分や殺菌用の塩素に起因するカルキ臭とか黴臭とかの臭いの元となる成分が含まれている。
そこで従来、水道水（原水）を内部に導き入れてこれを浄化フィルタに通し、浄水とした上で浄水吐水口から吐水する機能を有する吐水装置を水栓とは別体の単体のユニットとして構成し、これを水栓の蛇口、即ち吐水管の先端部に後付けで取り付けるといったことが行われている。
しかしながらこの単体且つ後付式の吐水装置の場合、これを水栓の吐水管の先端部に装着すると吐水管の先端部が不自然に大型化してしまって美観が損なわれてしまうといった問題がある。
【０００３】
一方、図１５に示しているように水栓２００とは独立に構成された浄水装置２０２をキッチン等のキャビネット内部に設置し、水栓２００からの水道水をこの浄水装置２０２に導いてここで浄化し、浄水とした上で再び水栓２００に戻して吐水管２０４の先端の吐水口から吐水するといったことも行われている。
【０００４】
この種形式の浄水装置２０２はビルトインタイプと称されているが、この浄水装置２０２を用いた場合、水栓２００特に吐水管２０４の先端部の形状は通常の水栓と全く変らず、従って外部に現れる部分について美観を良好に保持することができる。
【０００５】
一方でこの種形式の浄水装置２０２の場合、これをキャビネット内に設置するとキャビネット内部が煩雑化し、また浄水装置２０２の設置によってキャビネット内部の収納空間が狭められてしまうといった問題が生ずる。
近年キャビネット内の収納空間をできるだけ広く使おうとする傾向があり、このような中にあってこの種ビルトインタイプの浄水装置２０２を設置することが困難な場合も生じている。
【０００６】
他方キッチン等のカウンター上に通常の水栓と併せて浄水専用の水栓を設置するといったことも行われている。
しかしながらこの場合通常の水栓と浄水専用の水栓との２つの水栓が必要となり、カウンター上のスペースがそれら水栓にて広く占有されてしまうとともにコストも高くなるといった問題がある。
【０００７】
このような中にあって、この種の浄水機能即ち水道水から成る原水を浄化する機構を水栓に内蔵させることも提案されている（特許文献１）。
この浄水機能付きの水栓は、図１６，図１７に示しているように可撓性のホースとともに引出可能な吐水ヘッド２０６の内部に浄化フィルタ２０８を収容するとともに、その下流部の吐水装置２０９を、浄水と原水（水道水）とを切り替える切替弁２１０とその切替操作部（プッシュボタン式の操作部）２１２、更にその下流部のストレート吐水とシャワー吐水とを切り替える切替弁２１４とその切替操作部（レバー式の操作部）２１６とを有する吐水切替機構２１５を含んで構成したものである。
【０００８】
この吐水装置２０９では、図１８に示しているように先ず吐水切替装置２１５のプッシュボタン式の切替操作部２１２を操作して、切替弁２１０により吐水を原水吐水から浄水吐水に若しくはその逆に切り替え、更にまたレバー式の切替操作部２１６を操作して、下流部に位置する切替弁２１４により吐水をストレート吐水からシャワー吐水に若しくはその逆に切り替えるものである。
【０００９】
しかしながらこの吐水装置２０９では、特に浄水吐水から原水吐水への切替えの際に水圧の影響を強く受ける問題があるのに加えて、原水と浄水との切替えを行う切替弁２１０と、ストレート吐水とシャワー吐水との切替えを行う切替弁２１４とがそれぞれ別々の弁として構成されている上、それぞれの切替操作部２１２，２１６が別々の操作部とされているため、吐水ヘッド２０６先端部の内部構造が複雑であるとともに、操作を２度にわたって行わなければならないといった面倒がある。
【００１０】
そこで本出願人は、先の特許願（下記特許文献２）において、原水ストレート吐水口と原水シャワー吐水口及び浄水ストレート吐水口を別々に設けて吐水装置を構成し、またその吐水切替機構を原水ストレート弁部，原水シャワー弁部，浄水弁部を一体に有する弁体を備えた切替弁と、その操作を行う切替操作部とを含んで構成したものを提案している。
【００１１】
図１９，図２０はその具体例を示している。
同図において２１８はシングルレバー式の混合水栓、２２０はその水栓本体、２２２はレバー操作部であり、２２４は吐水管である。
吐水管２２４は、水栓本体２２０と一体的に構成された吐水管本体２２６と、ホースとともに引出可能な吐水ヘッド２２８とから成っている。
またこの吐水ヘッド２２８はグリップ部２３０と、その先端の頭部２３２とから成っている。そしてこの頭部２３２に吐水切替機構２３４を含む吐水装置２０９が一体に構成してある。
【００１２】
この吐水装置２０９における吐水切替機構２３４は、図２０に示しているように円筒形状をなす原水側弁２３６と、これとは軸方向の異なった位置に浄水側弁２３８を有する一体のシリンダ式の弁２４０と、その外側の対応したシリンダ形状をなす弁ハウジング２４２とを有する切替弁と、頭部２３２の側面に露出する状態で設けられたレバー式の操作部２４４とを含んで構成されている。
【００１３】
この吐水装置２０９では、レバー操作部２４４が（Ｉ）の原水ストレート位置と、（ＩＩ）の原水シャワー位置と、（ＩＩＩ）の浄水ストレート位置の３位置の間で切替操作可能とされている。
そしてレバー操作部２４４を（Ｉ）の原水ストレート位置に位置させると、原水ストレート吐水口２３４から原水が吐水され、そしてレバー操作部２４４を図中左向き（反時計方向）に所定角度回転させて（ＩＩ）の原水・シャワー位置に位置させると、原水シャワー吐水口２４８から原水がシャワー吐水され、更にまたこの位置からレバー操作部２４４を左向きに所定角度回転させて（ＩＩＩ）の浄水・ストレート位置に位置させると、浄水吐水口２５０から浄水がストレート吐水される。
【００１４】
この吐水切替機構２３４を含む吐水装置２０９では、水圧の影響をそれほど受けないで操作部、即ちレバー操作部２４４を操作することができ、また単一の操作部であるレバー操作部２４４を１回操作するだけで、原水吐水と浄水吐水、より詳しくは原水ストレート吐水と原水シャワー吐水、更に浄水ストレート吐水の切替えを行うことができる。
【００１５】
本発明はこれらの吐水装置とは更に異なった新規な吐水装置を提供することを目的とする。
尚、本発明に関係する先行技術として下記特許文献３，特許文献４があるが、特許文献３に記載のものは切替弁の構造が本発明とは異なるものであり、更にまた下記特許文献４に記載のものは基本的に特許文献２と同様のものであって同じく本発明の吐水装置とは異なるものである。
【００１６】
【特許文献１】
特開２００１−１７３４２号公報
【特許文献２】
特開２００２−３４８９２４号公報
【特許文献３】
特開２００２−１０６００６号公報
【特許文献４】
特開２００２−８８８３６号公報
【００１７】
【課題を解決するための手段】
而して本発明の請求項１に係る吐水装置は、水道水から成る原水を流通させる原水通路と、該原水を浄化フィルタに通して浄化した後の浄水を流通させる浄水通路と、該原水を吐水する原水吐水口と、該浄水を吐水する浄水吐水口と、該原水吐水口からの原水吐水と該浄水吐水口からの浄水吐水とを切り替える吐水切替機構とを有し、該吐水切替機構は、（イ）前記原水通路を開閉する原水弁部と、（ロ）前記浄水通路を開閉する浄水弁部と、（ハ）操作部としてのプッシュボタンと、（ニ）該プッシュボタンのプッシュ操作により軸方向に移動して前記原水弁部及び浄水弁部の何れか一方を前進位置で閉、他方を開とするとともに、後退位置で他方を閉、一方を開とする、それら原水弁部及び浄水弁部の駆動用の駆動軸と、（ホ）該駆動軸を前進位置と後退位置との何れかの位置に保持し、且つ前記プッシュボタンの１回のプッシュ操作ごとにその保持を前進位置保持から後退位置保持に又は後退位置保持から前進位置保持に切り替えるロック機構と、を備えており、且つ前記原水弁部及び浄水弁部は少なくとも何れか一方がパイロット式の弁部とされていて、主弁と該主弁を開閉制御するパイロット水路及び該パイロット水路を開閉するパイロット弁を有しており、該パイロット弁が前記駆動軸の軸方向の前進又は後退につれて前進又は後退移動し、該パイロット水路を開閉するようになしてあることを特徴とする。
【００１８】
請求項２のものは、請求項１において、前記ロック機構が、前記駆動軸の軸心の回りに回転可能に且つ該駆動軸とともに軸方向に移動する状態に配された回転子と、前記プッシュボタンの１回のプッシュ操作の度に該回転子を所定角度ずつ回転させて、該回転子の位置を前進位置から後退位置に又はその逆に変化させ且つ変化後の位置に位置保持するカム機構とを備えたスラストロック機構であることを特徴とする。
【００１９】
請求項３のものは、請求項１，２の何れかにおいて、前記主弁がダイヤフラム弁であることを特徴とする。
【００２０】
請求項４のものは、請求項１〜３の何れかにおいて、前記原水弁部が前記パイロット式の弁部とされていることを特徴とする。
【００２１】
請求項５のものは、請求項１〜４の何れかにおいて、前記浄水弁部が非パイロット式の弁部とされていることを特徴とする。
【００２２】
請求項６のものは、請求項５において、前記浄水弁部における浄水弁の弁座への着座部が、径方向外方に鍔状に延出した外向きのフランジ部を有しており、該フランジ部の外周端縁を該弁座に水密に接触させシールするようになしてあることを特徴とする。
【００２３】
請求項７のものは、請求項１〜６の何れかにおいて、前記駆動軸が、前記浄水弁部用の第１駆動軸と前記原水弁部用の第２駆動軸とに軸方向の前，後に分けて且つ同軸上に構成・配置してあるとともに、それら第１駆動軸と第２駆動軸との間に操作力を伝達するばねが介在させてあり、それら第１駆動軸及び第２駆動軸の軸方向の移動により、第１駆動軸及び第２駆動軸に対応して前，後位置に配置してある前記浄水弁部と原水弁部とが開閉駆動されるようになしてあることを特徴とする。
【００２４】
請求項８のものは、請求項１〜７の何れかにおいて、前記吐水装置が、水栓における吐水ヘッドに設けてあり、前記プッシュボタンが該吐水ヘッドの軸方向の先端面且つ該吐水ヘッドの軸方向に押込可能に設けてあることを特徴とする。
【００２５】
請求項９のものは、請求項１〜８の何れかにおいて、前記原水吐水口が原水をシャワー吐水する原水シャワー吐水口であり、前記浄水吐水口が浄水をストレート吐水する浄水ストレート吐水口であり、前記吐水切替機構が原水及び浄水のそれぞれをストレート吐水とシャワー吐水とに切り替える切替機能を有していないことを特徴とする。
【００２６】
【作用及び発明の効果】
以上のように本発明の吐水装置は、原水通路及び浄水通路と、原水吐水口及び浄水吐水口と、吐水を切り替える吐水切替機構とを含み、そしてその吐水切替機構を、原水弁部と、浄水弁部と、操作部としてのプッシュボタンと、プッシュボタンの操作により軸方向に移動して原水弁部及び浄水弁部の何れか一方を前進位置で閉、他方を開とし、また後退位置で他方を閉、一方を開とする駆動軸と、その駆動軸をプッシュボタンの１回のプッシュ操作ごとに前進位置保持から後退位置保持に又は後退位置保持から前進位置保持に切り替えるロック機構とを含んで構成したもので、本発明によれば、プッシュボタンを１回プッシュ操作するだけで、原水吐水から浄水吐水に又はその逆に切り替えることができ、極めて簡単な操作で吐水の切替えを行うことができる。
【００２７】
また本発明では原水弁部及び浄水弁部の少なくとも何れか一方を、主弁とその主弁を開閉制御するパイロット水路及びパイロット水路を開閉するパイロット弁とを有するパイロット式の弁部となし、そしてそのパイロット弁を駆動軸の軸方向の前進又は後退につれて前進又は後退移動させ、パイロット水路を開閉するようになしていることから、かかる本発明によれば、少なくともパイロット式の弁部として構成した原水弁部，浄水弁部の少なくとも何れかを開閉操作する際、水圧の影響を殆ど受けることなく、極めて軽やかな操作力で容易にそのパイロット式の原水弁部又は浄水弁部を開閉操作することができる。
【００２８】
この場合において、そのパイロット式の弁部における上記主弁をダイヤフラム弁となしておくことができる（請求項３）。
【００２９】
本発明においては、特に原水弁部をパイロット式の弁部となしておくのが良い（請求項４）。
浄水弁部に対しては、その上流部にある浄化フィルタによる流動抵抗，圧力損失によってそれ程大きな水圧が作用しないのに比べて、原水弁部に対しては大きな水圧が作用し、従って特に原水弁部を開閉する際には、とりわけ原水弁部を開状態から閉状態とする際に大きな水圧に抗して浄水弁部を動作させなければならない。
しかるにその原水弁部をパイロット式の弁部となしておくことで、かかる原水弁部を僅かな操作力で軽やかに開閉操作することが可能となる。
【００３０】
尚浄水弁部についてもパイロット式の弁部となしておくことができるが、この浄水弁部については非パイロット式の弁部となしておくことができる（請求項５）。
このように浄水弁部を非パイロット式の弁部となしておけば、浄水弁部の構造を簡素化することができる。
【００３１】
この場合において浄水弁部における弁体（浄水弁）の弁座への着座部を、径方向外方に鍔状に延出した外向きのフランジ部を有するものとなしておき、そのフランジ部の外周端縁を弁座に水密に接触させシールするようになしておくことができる（請求項６）。
このようになしておいた場合、フランジ部における弁座への着座部とは反対側の面が受圧面となって、その受圧面に対する水圧の助勢作用により浄水弁を弁座に対し押圧することができ、閉弁状態にある浄水弁が水圧の作用で開こうとするのを抑制することができる。
【００３２】
本発明においては、上記ロック機構を、プッシュボタンをプッシュ操作するごとに回転子を所定角度回転させて、その回転子を前進位置と後退位置とに保持し、これによって上記駆動軸を前進位置と後退位置とにそれぞれ位置保持するスラストロック機構にて構成しておくことができる（請求項２）。
【００３３】
本発明においては、上記駆動軸を浄水弁部用の第１駆動軸と原水弁部用の第２駆動軸とに軸方向の前，後に分けて且つ同軸上に配置・構成してそれらの間にばねを介在させ、それら第１駆動軸及び第２駆動軸の軸方向の移動により、第１駆動軸及び第２駆動軸に対応して前，後位置に配置してある浄水弁部と原水弁部とを開閉駆動するようになしておくことができる（請求項７）。
【００３４】
本発明は、水栓における吐水ヘッドに適用し、その吐水切替機構におけるプッシュボタンを吐水ヘッドの軸方向の先端面且つ吐水ヘッドの軸方向に押込可能に設けておくことができる（請求項８）。
このようにすれば原水吐水と浄水吐水との切替えを操作性良く簡単に行えるようになる。
【００３５】
更にまた吐水装置における操作部が、吐水管の側面から側方向に突出して吐水ヘッド周りの形状が煩雑化するのを回避でき、吐水ヘッド周りの形状をすっきりとした形状となし得て、外観を良好となすことができる。
【００３６】
本発明においてはまた、吐水装置における原水吐水口を原水シャワー吐水口とし、また浄水吐水口を浄水ストレート吐水口となして、それらの間で吐水を切り替えるようになすことができる（請求項９）。
このようにすれば、原水吐水と浄水吐水とを切り替える機能を吐水切替機構に備えておくだけで足り、原水と浄水とを切り替えた上で、更に吐水をストレート吐水とシャワー吐水とに切り替えるといったことを行わなくても良く、吐水切替機構における必要な弁部や操作部，切替機構を単純化することができる。即ち吐水切替機構の構成を単純化することができる。
【００３７】
【実施例】
次に本発明の実施例を図面に基づいて詳しく説明する。
図１において、１０はキッチン水栓等として用いられるシングルレバー式の水栓（混合水栓）で、１２は吐止水及び吐水の水量調節と温度調節とを行うための主弁を内蔵した水栓本体で、１４はその上部に回動可能に設けられたレバー式の主弁操作部である。
この水栓１０では、主弁操作部１４を左右回動操作することで吐水の温度調節が行われ、また上下に回動操作することで吐止水及び吐水の水量調節が行われる。
【００３８】
１６は水栓本体１２から延び出した吐水管で、水栓本体１２に固定の吐水管本体１８と、その先端側の吐水ヘッド２０とを有している。
ここで吐水ヘッド２０は、可撓性のホース２２とともに吐水管本体１８から引出可能且つ引出状態において３次元に位置移動可能とされている。
【００３９】
吐水ヘッド２０は、図２及び図３にも示しているようにグリップ部２４と、その先端側の頭部２６とを有しており、そのグリップ部２４の基端部にホース２２がシール部材２８によるシールの下に水密に接続固定されている。
ここでホース２２は、吐水管本体１８の中心部に形成されたホース挿通孔内部に軸方向に摺動可能に挿通されている。
【００４０】
グリップ部２４の基端部には差込凹部３０が形成されており、この差込凹部３０に吐水管本体１８側の差込凸部３２（図１参照）を差し込むようにして、吐水ヘッド２０が吐水管本体１８の先端部に嵌められ且つ保持されるようになっている。
【００４１】
グリップ部２４は、内筒部３４を有するグリップ本体３６と、外筒３８との２重筒構造をなしており、その内部に原水（水道水）を通過させることによってこれを浄化する浄化フィルタ４０が収容されている。
【００４２】
浄化フィルタ４０は全体として円筒形状をなす部材であって、中心部の円筒形状の多孔質のセラミックフィルタ４２を有しており、これを支持体としてその外面に珪藻土４４の層が、更にその外面に活性炭４６の層が積層形成され、その外周面に不織布４８が巻き付けられている。
【００４３】
この浄化フィルタ４０は、前後端に非通水性のエンドキャップ５０を有している。
これらエンドキャップ５０はそれぞれ透光性の部材にて構成されており、これらエンドキャップ５０を通じて浄化フィルタ４０の端面、具体的にはセラミックフィルタ４２，珪藻土４４の層，活性炭４６の層，不織布４８の層の端面を外部から目視観察できるようになっている。
即ちこれらエンドキャップ５０を通じて、浄化フィルタ４０の各層の汚れ具合を目視観察できるようになっている。
【００４４】
これらエンドキャップ５０の外周面には周方向に所定間隔でリブ５２が形成されており、これらリブ５２の外周端が内筒部３４の内周面に当接している。
即ちこれらリブ５２によって浄化フィルタ４０の外周側、詳しくは浄化フィルタ４０の外周面とグリップ部２４における内筒部３４の内周面との間に原水通路５４Ａが形成されている。
また浄化フィルタ４０におけるセラミックフィルタ４２の内側に浄水通路５６Ａが形成されている。
【００４５】
上記頭部２６には、本例の吐水装置５８が一体に構成されている。
この吐水装置５８は、頭部２６の下部且つ下向きに原水シャワー吐水口５９と、浄水ストレート吐水口６０とを有しており、更に上記の浄化フィルタ４０の外周側の原水通路５４Ａと原水シャワー吐水口５９とを連通させて、原水通路５４Ａからの原水を原水シャワー吐水口５９に導く原水通路５４Ｂ，浄化フィルタ４０の中心部の浄水通路５６Ａと浄水ストレート吐水口６０とを連通させて、浄水通路５６Ａからの浄水を浄水ストレート吐水口６０に導く浄水通路５６Ｂ，原水ストレート吐水口５９からの原水シャワー吐水と浄水ストレート吐水口６０からの浄水ストレート吐水とを切り替える吐水切替機構６２とを有している。
【００４６】
この吐水切替機構６２は、原水通路５４Ｂを開閉する原水弁部６４と、浄水通路５６Ｂを開閉する浄水弁部６６と、操作部としてのプッシュボタン６８と、プッシュボタン６８に加えられた操作力によって軸方向に進退し、原水弁部６４及び浄水弁部６６を開閉駆動する駆動軸７０と、駆動軸７０を前進位置と後退位置とにそれぞれ位置保持し且つプッシュボタン６８がプッシュ操作される度に駆動軸７０を前進位置保持から後退位置保持に、更に後退位置保持から前進位置保持に切り替える、ロック機構としてのスラストロック機構７２とを備えている。
【００４７】
図４及び図５に上記吐水装置５８の構成が吐水切替機構６２の構成とともに詳しく示してある。ここで図４及び図５は原水弁部が開いた状態を表している。
これらの図に示しているように、原水弁部６４はパイロット式の弁部として構成されている。
【００４８】
図中７４はダイヤフラム弁から成る主弁で、この主弁７４が弁座７６に着座することによって原水通路５４Ｂが遮断され、また主弁７４が弁座７６から図中左向きに離間することによって原水通路５４Ｂが開放される。
【００４９】
主弁７４の背面（図中左側の面）には背圧室７８が形成されており、主弁７４はこの背圧室７８の圧力によって図中右向きに押され、弁座７６に着座させられる。
即ち主弁７４が背圧室７８の圧力によって閉弁させられる。
【００５０】
８０はこの主弁７４を開閉制御するためのパイロット弁であって、シリンダ８２内部に図中左右方向、即ち軸方向に摺動可能に嵌合されている。
【００５１】
背圧室７８は、シリンダ８２底部に設けられた貫通の小孔８４によってシリンダ８２内部に連通するようになっており、更にシリンダ８２内部は、図５に示しているようにシリンダ８２内部から延び出して原水通路５４Ｂの下流部に到る水抜通路８６を通じて原水通路５４Ｂの下流部と連通するようになっている。
【００５２】
本例において、これら小孔８４，シリンダ８２内部、更に水抜通路８６によってパイロット水路が構成されており、このパイロット水路がパイロット弁８０により開放されることで、背圧室７８内部の水が原水通路５４Ｂへと流れ出して、背圧室７８の圧力が消失し、ここにおいて主弁７４が原水通路５４Ｂにおける弁座７６よりも上流部の水圧によって開弁し、原水通路５４Ｂが開放される。そして原水通路５４Ｂからの原水が上記の原水シャワー吐水口５９からシャワー吐水される。
【００５３】
一方パイロット弁８０が図中右向きに押されてパイロット水路を閉鎖すると、ここにおいて原水通路５４Ｂの弁座７６よりも上流部の水が、図５に示しているように主弁７４を貫通して形成された小孔８７を通じて背圧室７８内に流入することで背圧室７８の圧力が上昇し、主弁７４を閉弁させる（図６，図７参照）。
【００５４】
上記駆動軸７０は、浄水弁部６６駆動用の第１駆動軸８８と、原水弁部６４駆動用の第２駆動軸９０とに軸方向の前，後に分けて且つ同軸上に構成・配置してある。
そしてその第２駆動軸９０に上記パイロット弁８０が固設されていて、かかるパイロット弁体８０が第２駆動軸９０と一体に図中左右方向に進退移動するようになっている。
【００５５】
ここで第１駆動軸８８と第２駆動軸９０との間には圧縮コイルスプリングから成るばね９２が介在させてあり、かかるばね９２によって第１駆動軸８８と第２駆動軸９０とが互いに軸方向に離れる向きに付勢されている。
【００５６】
上記浄水弁部６６は、原水弁部６４に対し軸方向に位置を隔てて配置してある。
この浄水弁部６６は、浄水弁９４と弁座９６とを有している。
浄水弁９４は、第１駆動軸８８に一体的に設けられており、かかる第１駆動軸８８と一体に図４中左右方向に移動する。
【００５７】
而して図４及び図５に示しているように浄水弁９４の着座部９８が弁座９６に着座した状態で浄水通路５６Ｂを遮断し、また浄水弁９４の着座部９８が弁座９６から離間することによって浄水通路５６Ｂを開放し（図６，図７参照）、浄水ストレート吐水口６０から浄水をストレート吐水させる。
【００５８】
尚この着座部９８は、図５の部分拡大図に示しているように鍔状に径方向外方に大きく延出するフランジ部１００を設けておき、そのフランジ部１００の外周端縁を弁座９６に着座させるようになすことができる。
この場合、フランジ部１００の背面が受圧面１０２となってそこに浄水通路５６Ｂの水圧が作用し、浄水弁９４が弁座９６に押し付けられて閉弁状態に良好に保持される効果が得られる。
【００５９】
上記第１駆動軸８８と第２駆動軸９０との間には、円筒形状をなす弁ホルダ１０４が設けてあり、この弁ホルダ１０４によって第２駆動軸９０が図中左右方向に移動可能に保持されている。
この弁ホルダ１０４には、圧縮コイルスプリングから成るばね１０６の一端が当接させてあり、このばね１０６によって、弁ホルダ１０４を介し第１駆動軸８８と第２駆動軸９０とを有する駆動軸７０全体が図中左向き、即ちプッシュボタン６８を図中左方向に押し戻す向きに付勢されている。
【００６０】
この駆動軸７０は、図６及び図７に示しているように図中右方向の前進位置において、パイロット弁８０の閉弁により原水弁部６４を閉弁する一方、浄水弁部６６を開弁させ、また図４及び図５に示すように後退位置において浄水弁部６６を閉弁させ、原水弁部６４を開弁させる。
【００６１】
その際上記スラストロック機構７２は、駆動軸７０を前進位置と後退位置とにそれぞれ位置保持し、そしてプッシュボタン６８が１回プッシュ操作されるごとに、駆動軸７０に対する保持を前進位置保持から後退位置保持に、または後退位置保持から前進位置保持に切り替える。
尚、第１駆動軸８８には空気孔７１が形成されている。この空気孔７１は第１駆動軸８８の進退時にばね室７３及び７５の空気を出し入れするためのものである。
【００６２】
このスラストロック機構７２は、ハウジング１０８と、プッシュボタン６８がプッシュ操作されるごとに軸回りに所定角度ずつ回転する回転子１１０と、プッシュボタン６８に加えられた操作力を回転子１１０に伝える伝達部材１１２とを有している。
【００６３】
ハウジング１０８は、図８及び図１０に示しているように内周側に段付部を有しており、その段付面に沿ってカム面１１４が形成されている。
また周方向に所定間隔で落し込用の溝１１６が形成されている。
【００６４】
一方回転子１１０は、図８及び図９に示しているように軸方向の端部に大径部１１８を有しており、その大径部１１８の段付面に沿ってカム面１２０が形成されている。
また大径部１１８には、周方向に所定間隔で半径方向の突出部１２２が形成されている。
尚この回転子１１０には、周方向に所定間隔で軸方向に延びる突条１２４が複数形成されている。
【００６５】
他方伝達部材１１２は、図８及び図１１に示しているように全体として円筒形状をなす部材で、弾性爪１２６を有しており、その弾性爪１２６においてプッシュボタン６８に非回転状態に取り付けられている。
この伝達部材１１２には、その先端面にカム面１２８が形成されており、このカム面の作用で回転子１１０を所定角度ごと回転させるようになっている。
【００６６】
このスラストロック機構７２の場合、プッシュボタン６８を図中右向きにプッシュ操作すると、伝達部材１１２が先端のカム面１２８を回転子１１０のカム面１２０に当接させながら回転子１１０を図８中右向きに押して、回転子１１０のカム面１２０をハウジング１０８のカム面１１４から図８中右向きに離間させ、これと同時に回転子１１０をカム面１２８，１２０のカム作用で所定角度回転させる。
【００６７】
この回転子１１０に対しては上記ばね１０６の付勢力が駆動軸７０を介して図中左向きに加えられており、そこでプッシュボタン６８から手を放すと、回転子１１０がばね１０６の付勢力によって図中左向きに後退するとともにその際に突出部１２２をハウジング１０８の溝１１６に落し込み、ハウジング１０８に対する軸方向の位置を、当初の前進位置から図中左方向の後退位置に変化させる。
【００６８】
そしてその状態からプッシュボタン６８をもう１回プッシュ操作すると、伝達部材１１２によって回転子１１０が図８中右向きに押されて、その突出部１２２がハウジング１０８の溝１１６から離脱するとともに、伝達部材１１２のカム面１２８と回転子１１０のカム面１２０とのカム作用で、更に所定角度回転子１１０が回転させられる。
【００６９】
その後プッシュボタン６８から手を放すと、ばね１０６の付勢力で回転子１１０が再び図８中左向きに押されるが、このとき突出部１２２はハウジング１０８のカム面１１４上に乗り上がった状態となって、それ以上の図８中左向きの後退が阻止される。
【００７０】
このようにして回転子１１０は、プッシュボタン６８をプッシュ操作するごとに、ハウジング１０８に対する軸方向の位置を前進位置から後退位置に、更には後退位置から前進位置に位置変化させる。
【００７１】
これに伴ってスラストロック機構７２による駆動軸７０の保持位置が、前進位置から後退位置に、更には後退位置から前進位置に位置変化させられる。
そしてこれに伴って原水弁部６４の開動作及び浄水弁部６６の閉動作と、原水弁部６４の閉動作及び浄水弁部６６の開動作が行われることとなる。
【００７２】
上記回転子１１０には表示リング１３０が一体回転状態で組み付けられている。
表示リング１３０は、図１２にも示しているように全体として円筒形状をなしており、その周壁部には回転子１１０における上記突条１２４に対応したピッチで溝１３２が形成されており、この溝１３２に突条１２４を挿入させる状態で、表示リング１３０が回転子１１０に対し外嵌状態に嵌合されている。
【００７３】
この表示リング１３０には表示板１３４が設けられていて、その表示板１３４に現在の吐水状態、即ち浄水ストレート吐水状態を表す表示部１３４ａと、原水シャワー吐水状態を表示する表示部１３４ｂとが周方向に交互に設けられている。
即ちプッシュボタン６８を１回プッシュ操作するごとの回転子１１０の回転角度に対応した間隔で、表示部１３４ａと１３４ｂとが周方向に交互に設けられている。
【００７４】
一方、プッシュボタン６８には透明な表示窓１３６が設けられており、この表示窓１３６を通じて表示部１３４ａ又は１３４ｂが外部に現れるようになっている。
即ち回転子１１０の表示部１３４ａ又は１３４ｂが、プッシュボタン６８の表示窓１３６に臨むように配置されており、そして表示リング１３０が回転子１１０とともに所定角度回転するごとに、表示窓１３６を通じて表示部１３４ａ又は１３４ｂが交互に外部に現れるようになっている。
【００７５】
次に本例の吐水装置５８の作用を以下に説明する。
先ず図６，図７及び図１４（Ｉ）は、駆動軸７０が前進位置に保持された状態にあって、原水弁部６４が閉弁状態、浄水弁部６６が開弁状態に保持された状態にあり、このとき浄化フィルタ４０の中心部の浄水通路５６Ａからの浄水は、図６，図７及び図１３（Ａ）に示す頭部２６内部の浄水通路５６Ｂを流通した後、浄水弁部６６を通過し、更に図１３（Ｂ）に示す浄水通路５６Ｂを経て、図２及び図７の浄水ストレート吐水口６０に到り、そこから外部にストレート吐水される。
【００７６】
この状態でプッシュボタン６８を図中右向きに１回プッシュ操作すると、スラストロック機構７２によるロック位置の変更によって駆動軸７０が後退位置となり、ここにおいて図４，図５及び図１４（ＩＩＩ）に示しているように、浄水弁部６６が閉弁状態、原水弁部６４が開弁状態となる。
【００７７】
ここにおいて浄化フィルタ４０の外周側の原水通路５４Ａからの原水が、図４，図５に示す頭部２６内の原水通路５４Ｂに流れ込み、更に原水弁部６４を通過して、原水弁部６４の下流側の原水通路５４Ｂに到り、更に図５に示す原水通路５４Ｂを流通して原水シャワー吐水口５８へと到り、そこから外部にシャワー吐水される。
【００７８】
尚、図１４（ＩＩ）は原水弁部６４におけるパイロット弁８０が開弁した状態を、図１４（ＩＩＩ）はこのパイロット弁８０の開弁により主弁７４が開弁した状態をそれぞれ表している。
【００７９】
このように本例では、プッシュボタン６８を１回プッシュ操作するごとに、浄水ストレート吐水と原水シャワー吐水とが切り替えられる。
またその切替えの都度、表示リング１３０がスラストロック機構７２における回転子１１０と一体に所定角度ずつ回転して、表示部１３４ａ，１３４ｂをプッシュボタン６８の表示窓１３６に臨ませ、現在の吐水状態が浄水ストレート吐水であるのか、原水シャワー吐水であるのかを表示する。
【００８０】
以上のような本例の吐水装置においては、プッシュボタン６８を１回プッシュ操作するだけで、原水シャワー吐水から浄水ストレート吐水に又はその逆に切り替えることができ、極めて簡単な操作で吐水の切替えを行うことができる。
【００８１】
また本例では原水弁部６４を開閉操作する際、水圧の影響を殆ど受けることなく、極めて軽やかな操作力で容易に原水弁部６４を開閉操作することができる。
【００８２】
また本例によれば、吐水の切替えを操作性良く簡単に行えるようになるとともに、吐水装置５８における操作部が吐水管１６の側面から側方向に突出して、吐水ヘッド２０周りの形状が煩雑化してしまうといったことがなく、吐水ヘッド２０周りの形状をすっきりとした形状となし得て、外観を良好となすことができる。
【００８３】
また本例では原水シャワー吐水と浄水ストレート吐水との切替えを行うのみであるため、吐水切替機構６２の構成を単純化できる利点を有する。
【００８４】
以上本発明の実施例を詳述したがこれはあくまで一例示である。
例えば本発明を水栓の吐水管に後付けで装着される形式の吐水装置に適用することも可能であるなど、本発明はその趣旨を逸脱しない範囲において種々変更を加えた形態で構成可能である。
【図面の簡単な説明】
【図１】本発明の一実施例である吐水装置を有する水栓全体の側面図である。
【図２】図１の吐水装置を含む水栓の吐水ヘッドの内部構造を示す図である。
【図３】図２に示す構造を各部材に分解した状態で示す図である。
【図４】同実施例の吐水装置の平面断面図である。
【図５】同実施例の吐水装置の構造を拡大して示す側面断面図である。
【図６】同実施例の吐水装置の図４とは異なる作用状態で示す平面断面図である。
【図７】同実施例の吐水装置を図５とは異なる作用状態で示す側面断面図である。
【図８】同実施例の吐水装置におけるスラストロック機構を周辺部材とともに各部材に分解して示す図である。
【図９】図８における回転子の図である。
【図１０】図８におけるハウジングの図である。
【図１１】図８における伝達部材の図である。
【図１２】図８における表示リングの図である。
【図１３】（Ａ）：図７におけるア−ア断面図である。（Ｂ）：図７におけるイ−イ断面図である。
【図１４】同実施例の吐水装置の作用説明図である。
【図１５】従来のビルトインタイプの浄水装置をキャビネット内に設置した状態で示す図である。
【図１６】従来公知の浄水機能付水栓の要部を一部切り欠いて示す図である。
【図１７】図１６の浄水機能付水栓の要部を示す図である。
【図１８】図１６，図１７の浄水機能付きの水栓の吐水状態を示す図である。
【図１９】図１６とは異なるタイプの従来の浄水機能付きの水栓の図である。
【図２０】図１９の水栓の吐水状態を示す図である。
【符号の説明】
１０  水栓
２０  吐水ヘッド
４０  浄化フィルタ
５４Ａ，５４Ｂ  原水通路
５６Ａ，５６Ｂ  浄水通路
５８  吐水装置
５９  原水シャワー吐水口
６０  浄水ストレート吐水口
６２  吐水切替機構
６４  原水弁部
６６  浄水弁部
６８  プッシュボタン
７０  駆動軸
７２  スラストロック機構
７４  主弁
７６，９６  弁座
８０  パイロット弁
８４，８７  小孔
８６  水抜通路
８８  第１駆動軸
９０  第２駆動軸
９２，１０６  ばね
９８  着座部
１００  フランジ部
１１０  回転子
１１４，１２０，１２８  カム面
【図１】
2004250893.tif 000003
【図２】
2004250893.tif 000004
【図３】
2004250893.tif 000005
【図４】
2004250893.tif 000006
【図５】
2004250893.tif 000007
【図６】
2004250893.tif 000008
【図７】
2004250893.tif 000009
【図８】
2004250893.tif 000010
【図９】
2004250893.tif 000011
【図１０】
2004250893.tif 000012
【図１１】
2004250893.tif 000013
【図１２】
2004250893.tif 000014
【図１３】
2004250893.tif 000015
【図１４】
2004250893.tif 000016
【図１５】
2004250893.tif 000017
【図１６】
2004250893.tif 000018
【図１７】
2004250893.tif 000019
【図１８】
2004250893.tif 000020
【図１９】
2004250893.tif 000021
【図２０】
2004250893.tif 000022